(57)【要約】      （修正有）【課題】各種の窓の長さ及び幅に合わせることができる連結式カーテンの提供。【解決手段】各カーテン布の上方に複数本のプリーツを設け、該プリーツの上部に複数のカーテンフックを設け、そのうち、各カーテン布は両側の辺縁部の正面及び背面上にそれぞれ相対する連結部材が設置され、２枚のカーテン布が該連結部材により連結され、使用する窓に合った適当な幅を形成し、さらに、該カーテン布の下端に調節自在の裾折り返しを設け、該調節自在の裾折り返しは、カーテン布の下端を上方向に２回以上連続して一定の幅折り返し、且つ、毎回一定幅を折り返すたびに、折り返し箇所の上端を固定線で縫いつけて成り、カーテン布の長さを簡単に増加することができる。【選択図】図４
0003108037.tif 000002
【実用新案登録請求の範囲】
【請求項１】
１枚以上のすでに縫製が完了した、異なる規格のカーテン布を組み合わせ、各種の窓に合わせてより大きなサイズのカーテンとする連結式カーテンであって、各カーテン布の上方に複数本のプリーツを設け、同時に該プリーツの上部に必要に応じて複数のカーテンフックを設け、そのうち、各カーテン布は両側の辺縁部の正面及び背面上にそれぞれ相対する連結部材が設置され、２枚のカーテン布が該連結部材により連結され、使用する窓の大きさに合った適当な幅を形成することを特徴とする、連結式カーテン。
【請求項２】
前記のうち、該カーテン布が同じ幅の一定規格である、請求項１に記載の連結式カーテン。
【請求項３】
前記のうち、該カーテン布が異なる幅の一定規格である、請求項１に記載の連結式カーテン。  
【請求項４】
前記のうち、該カーテン布の両側辺縁部の正面上に複数のボタンを設けた、請求項１に記載の連結式カーテン。
【請求項５】
前記のうち、該プリーツの外側上方にバランスを設け、該バランスの内側面にギャザーひもを設置し、該ギャザーひもを利用し、各種窓の実際の幅に合わせてバランスの幅が調節可能である、請求項１に記載の連結式カーテン。       
【請求項６】
前記のうち、該カーテン布の下側に調節自在の裾折り返しを設け、該調節自在の裾折り返しは、カーテン布の下端を上方向に２回以上連続して一定の幅折り返し、且つ、毎回一定幅を折り返すたびに、折り返し箇所の上端を固定線で縫いつけて成り、カーテン布の長さを増加することができる、請求項１に記載の連結式カーテン。
【請求項７】
前記のうち、該ボタンが中国風刺繍ボタンである、請求項４に記載の連結式カーテン。
【考案の詳細な説明】
【技術分野】
【０００１】
本考案は、連結式カーテンに関し、特に、カーテン布を数枚の一定幅の規格で製造し、且つ、その側辺にそれぞれ連結部材と調節自在の裾折り返しを設け、バランスの背面にギャザーひもを設置し、カーテン布を2枚以上組み合わせることにより、各種の窓の長さ及び幅に合わせることができる連結式カーテンに関する。
【背景技術】
【０００２】
従来のカーテンは、2枚のカーテン布を設置し、該カーテン布の上方にプリーツを設け、上部にカーテンフックを設置して構成され、使用時には、窓の内側上方にレールを設置し、その上に複数のランナーが設置され、且つ、各ランナーにカーテン布上のカーテンフックを引掛け、ひもを引くとランナーが動いてカーテンフックを動かし、２枚のカーテン布を中央に向かって展開し、光線と窓を遮蔽する。または、反対方向にひもを引くと、カーテン布が窓の両脇へ向かって開き、遮蔽が解除される。
【０００３】
このような従来のカーテンは、展開したときの隠密効果が高く、且つ、布上の図形が容易に表示され美観を楽しむことができ、収納すると光線を遮ることなく完全に窓辺に束ねることができ、十分実用的な製品であり、使用者に受け入れられており、流行が衰えることはない。しかしながら、このようなカーテンの欠点は、オーダーメードでなければならない点である。各家の窓の幅はそれぞれ異なるため、オーダーメードで作るか、またはいわゆるDIY（Do It Yourself）で、先に窓の寸法を計測し、業者に依頼して寸法に合わせカーテンをカットしてもらった後、消費者が持ち帰り（または業者に依頼して）組み立てるが、現場での裁断などに時間がかかるのが主な欠点となっている。このほか、幅が広い掃き出し窓のカーテンは、オーダーメードにしても一枚が大きすぎ、洗濯が容易でないことも難点である。
【０００４】
また、従来のいわゆる固定式のDIYカーテンは、図７に示すように、上部が縫合され分離しない構造であり、本考案でいうところの連結式カーテンではない。また、上方が分離しないため、取り付け後室内の光線が暗くなり、その実用性は連結式カーテンに劣るため、理想なカーテンの設計とは言えない。
【０００５】
本考案は、一般的なカーテンレールにはすでに自由に切断（または伸縮）が可能な設計があるが、カーテン布は依然として本当の意味でのDIYの利便性を備えたものがなく、高級な連結式カーテンを作るには、計測後業者にカーテン布を裁断してもらわなければならず、製作上時間がかかり加工時間が無駄となり、また大量生産もできず、且つ、大きすぎるカーテンは洗濯が容易でないという従来改善されることのなかった欠点に鑑みて、改良設計を提供するものである。
【考案の開示】
【考案が解決しようとする課題】
【０００６】
本考案の主な目的は、多様な幅の設計で、且つ、上部にすでにカーテンフックを縫い込んだカーテン布であって、その両側にそれぞれ連結部材を備え、該カーテン布上部のバランスの背面にギャザーひもを設け、該カーテン布の下側に調節自在な裾折り返しを設け、使用時には必要に応じ適当な枚数のカーテン布（例：２枚、３枚またはそれ以上）を用い、連結部材を相互に連結し、窓の幅に合わせることができ、且つ、ギャザーひもによりバランスの幅を調節でき、さらに、調節自在の裾折り返しでカーテン布の長さを増加した後、すぐに取り付けることができ、業者に依頼してカーテン布を裁断してもらう必要がなく、加工費と現場製作の時間を節約することができる、連結式カーテンを提供することにある。
【０００７】
本考案の別の目的は、相互に連結部材で連結したカーテン布の側辺部にさらに中国風刺繍ボタン等の複数のボタンを設置し、相互のカーテン布を留めることで、美観を向上するだけでなく、より一層の安全に使用することができる、連結式カーテンを提供することにある。
【課題を解決するための手段】
【０００８】
本考案の連結式カーテンは、１枚以上のすでに縫製が完了した、異なる規格のカーテン布を組み合わせ、各種の窓に合わせてより大きなサイズのカーテンとする連結式カーテンであって、各カーテン布の上方に複数本のプリーツを設け、同時に該プリーツの上部に必要に応じて複数のカーテンフックを設け、そのうち、各カーテン布は両側の辺縁部の正面及び背面上にそれぞれ相対する連結部材が設置され、２枚のカーテン布が該連結部材により連結され、使用する窓の大きさに合った適当な幅を形成し、さらに、該カーテン布の下端に調節自在の裾折り返しを設け、該調節自在の裾折り返しは、カーテン布の下端を上方向に２回以上連続して一定の幅折り返し、且つ、毎回一定幅を折り返すたびに、折り返し箇所の上端を固定線で縫いつけて成り、カーテン布の長さを簡単に増加することができることを特徴とする。
【考案の効果】
【０００９】
本考案の設計により、使用時には以下のような利点がある。
１．              
本考案は、数種の異なる幅のカーテン布を組み合わせて連結し、さまざまな幅とすることができるため、製造時には数種のサイズのみ製造するだけで、消費者は異なる幅のカーテン布を選択して購入し、組み合わせて使用することができる。窓のサイズがちょうどカーテン布の標準幅である場合は直接使用でき、異なる場合は２枚以上のカーテン布を組み合わせて必要な幅にすることができるため、業者での裁断や縫製の時間と加工費を省くことができる。
２．              
本考案は、カーテン布の両側辺縁部の正面上に複数のボタンを設け、特に中国風刺繍ボタン等とすることで、２枚のカーテン布の連結部材を備えた側を相互に留めて、より美しい外観を楽しむことができる。
３．              
本考案は組み合わせる構造であるため、１枚ずつ取り外して洗濯することができ、非常に便利である。
【考案を実施するための最良の形態】
【００１０】
以下、本考案の連結式カーテンについて、図面に基づき詳細に説明する。
【実施例１】
【００１１】
図１、図２に示すように、本考案の連結式カーテンは、主に１枚以上のすでに縫製が完了した、異なる規格のカーテン布を組み合わせてより大きなサイズのカーテンとし利用するもので、各種の窓に合わせて使用できるものである。本考案のカーテン布１０、４０は、上方に複数のプリーツ１１、４１を備え、同時に該プリーツ１１、４１の上部に必要に応じて複数のカーテンフック１２、４２を設置する。
【００１２】
そのうち、該カーテン布１０、４０は、両側の辺縁部正面と背面上に相対する連結部材２０、３０が縫い付けられ、２枚のカーテン布１０、４０が該連結部材２０、３０により連結されて適当な幅となり、窓７０の幅に合わせて遮蔽する。該連結部材２０、３０は、面ファスナー、ファスナーまたはスナップボタンとすることができる。
【００１３】
該カーテン布１０、４０は、同じ幅または異なる幅の一定規格とすることができる。
【００１４】
また、窓のサイズがちょうどカーテン布１０、４０のサイズ規格に適合する幅である場合、カーテン布１０、４０の両側辺縁部は連結部材を縫い付けたものと、連結部材を縫い付けていないものの２種類のカーテン布とすることができる。
【００１５】
図３、図４に示すように、本考案はカーテン布１０、４０の両側辺縁部の正面上にさらに複数のボタン５０、５１をそれぞれ設置し、特に中国風刺繍ボタン等とするとよく、いかなる２枚のカーテン布１０、４０を連結部材２０、３０により連結した後、さらにボタン５０、５１を相互に留めることで、カーテン布１０、４０を引いた後、よい遮蔽効果が得られるだけでなく、同時に美しい外観を得ることができる。
【００１６】
図３に本考案を複数枚組み合わせて取り付ける場合の実施例を示す。３枚の幅が異なるカーテン布１０、４０、６０を使用し、連結部材２０、３０により相互間を連結して大型の掃き出し窓一枚分の幅に適合させ、さらにボタン５０、５１を留め、連結が完了する。
【実施例２】
【００１７】
図５に示すように、本考案の連結式カーテンの別の実施例は、カーテン布のプリーツ１１の外側上方にバランス８０を設置したものである。該バランス８０の内側面にギャザーひも８１を設置し、該ギャザーひも８１の伸長及び短縮を利用してバランス８０の幅を調節し、さまざまな窓の実際の幅に合わせることができる。
【実施例３】
【００１８】
さらに、図６に示すように、本考案の連結式カーテンのうち、該カーテン布１０の下側に調節自在の裾折り返し１４を設けてもよく、該調節自在の裾折り返し１４は、カーテン布１０の下端を上方向に連続して２回以上の一定幅で折り返し、且つ、毎回一定幅で折り返すたびに、折り返し箇所の上端に固定線１４１を縫いつけ、これにより、消費者が取り付け時にカーテン布１０の長さが不十分であることに気づいた場合、自分で１本または１本以上の固定線１４１を取り除き、該調節自在の裾折り返し１４を下方向へ１つまたは複数の一定幅分延長し簡単にカーテン布を長くすることができる。
【００１９】
本考案は進歩を追い求める積極的な態度で、初めて本製品を提供するものであり、上述のように大量生産ができ、コストと加工時間が節約できると共に、洗濯にも便利であり、また、美観も兼ね備えており、実用新案登録出願の要件を満たしているため、ここに出願するものである。
【図面の簡単な説明】
【００２０】
【図１】本考案の立体斜視図である。
【図２】本考案を２枚組み合わせた状態を示す平面図である。
【図３】本考案の複数枚の組み合わせを示す立体斜視図である。
【図４】本考案を２枚ずつ組み合わせた状態を示す平面図である。
【図５】本考案にバランス及びギャザーひもを設置した実施例を示す立体斜視図である。
【図６】本考案に調節自在の裾折り返しを設置した実施例を示す立体斜視図及び部分拡大図である。
【図７】従来の固定式DIYカーテンを示す平面図である。
【符号の説明】
【００２１】
１０      カーテン布
１１      プリーツ
１２      カーテンフック
１４      調節自在裾折り返し
２０      連結部材
３０      連結部材
４０      カーテン布
４１      プリーツ
４２      カーテンフック            
５０      ボタン
５１      ボタン
６０      カーテン布
７０      窓
８０      バランス
８１      ギャザーひも
１４１    固定線
【図１】
0003108037.tif 000003
【図２】
0003108037.tif 000004
【図３】
0003108037.tif 000005
【図４】
0003108037.tif 000006
【図５】
0003108037.tif 000007
【図６】
0003108037.tif 000008
【図７】
0003108037.tif 000009